(57)【要約】【課題】静音化が可能な冷却装置を提供する。【解決手段】冷却装置５は、冷却空気を送風する冷却ファン５１と、冷却ファン５１を保持する保持部材６と、冷却ファン５１に設けられ、保持部材６に向かって突出する突出部５２１１と、一部が突出部５２１１と保持部材６との間に挟持されるクッション部材７と、を備え、冷却ファン５１は、クッション部材７を介して保持部材６に保持される。【選択図】図５
2015119021.tif 000002
【特許請求の範囲】
【請求項１】
冷却空気を送風する冷却ファンと、
前記冷却ファンを保持する保持部材と、
前記冷却ファンおよび前記保持部材の少なくともいずれか一方に設けられ、前記一方から他方に向かって突出する突出部と、
一部が前記突出部と前記他方との間に挟持される弾性部材と、
を備え、
前記冷却ファンは、前記弾性部材を介して前記保持部材に保持されることを特徴とする冷却装置。
【請求項２】
請求項１に記載の冷却装置であって、
前記弾性部材は、前記突出部に貼付されることを特徴とする冷却装置。
【請求項３】
請求項２に記載の冷却装置であって、
前記突出部が少なくとも３つ並設された突出群を有し、
前記弾性部材は、前記突出部が並設された方向における前記突出群の幅より小さな幅を有し、前記突出部に貼付されることを特徴とする冷却装置。
【請求項４】
請求項１〜請求項３のいずれか一項に記載の冷却装置であって、
前記冷却ファンは、回転する羽根の中心軸に交差する面に沿う第１外面および第２外面と、前記第１外面と前記第２外面とに接続する第３外面とを有し、
前記保持部材は、前記第１外面、前記第２外面および前記第３外面にそれぞれ対向する第１内面、第２内面および第３内面を有し、
前記突出部は、前記第３外面および前記第３内面の一方に設けられ、
前記弾性部材は、前記第３外面および前記第３内面の他方と前記突出部との間、前記第１外面と前記第１内面との間、および前記第２外面と前記第２内面との間にそれぞれ挟持されることを特徴とする冷却装置。
【請求項５】
請求項４に記載の冷却装置であって、
前記突出部は、前記第３外面に設けられ、
前記第１外面および前記第２外面の少なくとも一方には、前記突出部の形状に倣う形状の認識マークが形成されていることを特徴とする冷却装置。
【請求項６】
請求項１〜請求項５のいずれか一項に記載の冷却装置であって、
前記冷却ファンは、羽根の中心軸方向から取り込んだ冷却空気を回転接線方向に吐出するシロッコファンであることを特徴とする冷却装置。
【請求項７】
請求項６に記載の冷却装置であって、
前記冷却ファンは、前記羽根が回転する領域を覆い、冷却空気が取り込まれる吸気口が形成されたケース本体部、および前記ケース本体部から突出し、冷却空気が吐出される吐出口が設けられた吐出口形成部を有し、
前記吐出口形成部の外周縁に貼付される補助弾性部材をさらに備え、
前記保持部材は、前記補助弾性部材が貼付された前記吐出口形成部を係止する係止部を有することを特徴とする冷却装置。
【請求項８】
請求項１〜請求項７のいずれか一項に記載の冷却装置であって、
前記保持部材は、前記冷却ファンが吐出する空気を案内する案内部を有していることを特徴とする冷却装置。
【請求項９】
光源と、
前記光源から射出された光を変調する光変調装置と、
前記光変調装置で変調された光を投写する投写光学装置と、
請求項１〜請求項８のいずれか一項に記載の冷却装置と、
を備えることを特徴とするプロジェクター。
【請求項１０】
請求項９に記載のプロジェクターであって、
前記冷却装置は、前記光源に冷却空気を送風することを特徴とするプロジェクター。
【発明の詳細な説明】
【技術分野】
【０００１】
本発明は、冷却装置、およびプロジェクターに関する。
【背景技術】
【０００２】
従来、光源から射出された光を画像情報に応じて変調し、変調した光をスクリーン等に投写するプロジェクターが知られている。プロジェクター内部の光学部品等は、光源からの光を受光することにより発熱するため、プロジェクターは、冷却ファンを備え、この冷却ファンから送風される空気によって光学部品を冷却している。そこで、この冷却ファンをプロジェクターに取り付ける構造が提案されている（例えば、特許文献１参照）。
【０００３】
特許文献１に記載のプロジェクターは、プロジェクターの外郭を成す本体ケース、冷却ファンとしての遠心ファン、遠心ファンの吸入口側に位置する吸入側ダクト、および弾性部材を備える。本体ケースは、下ケースを有し、この下ケースには、位置決め固定部が設けられている。遠心ファンには、外周面に突設された一対の位置決め固定部が設けられている。また、下ケースおよび吸入側ダクトには、それぞれ遠心ファンに向けて、一対の支持突起が突設されており、この一対の支持突起の先端面には、弾性部材が貼り付けられている。
そして、特許文献１に記載の遠心ファンは、周縁部が先端に弾性部材が貼りつけられた支持突起で挟み込まれ、一対の位置決め固定部が、下ケースの位置決め固定部にネジ等により固定されるように構成されている。
【先行技術文献】
【特許文献】
【０００４】
【特許文献１】特開２００９−５３２６５号公報
【発明の概要】
【発明が解決しようとする課題】
【０００５】
しかしながら、特許文献１に記載のファン取付構造は、遠心ファンの周縁部が弾性部材を介して支持されてはいるとはいうものの、遠心ファンの一対の位置決め固定部が、下ケースの位置決め固定部にネジ固定される構造のため、双方の部材の位置決め固定部を介して遠心ファンの振動が直接下ケースに伝わることが考えられる。すなわち、特許文献１に記載のファン取付構造は、ファンの振動、即ち騒音を低減するには不十分な構造である。
【課題を解決するための手段】
【０００６】
本発明は、上述の課題の少なくとも一部を解決するためになされたものであり、以下の形態または適用例として実現することが可能である。
【０００７】
［適用例１］本適用例に係る冷却装置は、冷却空気を送風する冷却ファンと、前記冷却ファンを保持する保持部材と、前記冷却ファンおよび前記保持部材の少なくともいずれか一方に設けられ、前記一方から他方に向かって突出する突出部と、一部が前記突出部と前記他方との間に挟持される弾性部材と、を備え、前記冷却ファンは、前記弾性部材を介して前記保持部材に保持されることを特徴とする。
【０００８】
この構成によれば、冷却ファンおよび保持部材の少なくともいずれか一方には、突出部が設けられ、弾性部材の一部がこの突出部と他方との間に挟持される。そして、冷却ファンは、弾性部材を介して保持部材に保持される。これによって、冷却ファンと保持部材とが直接に接触することなく、また、安定した力で冷却ファンの保持が可能となる。よって、冷却ファンの駆動による保持部材の振動等を抑制し、静音化が可能な冷却装置を提供できる。
【０００９】
［適用例２］上記適用例に係る冷却装置において、前記弾性部材は、前記突出部に貼付されることが好ましい。
【００１０】
この構成によれば、冷却装置を組み立てる作業者は、突出部を目安に弾性部材を貼付できる。これによって、弾性部材を容易に所定の位置に配置し、冷却ファンおよび保持部材のいずれか一方と突出部との間に弾性部材を確実に挟持させ、冷却ファンを保持部材に保持させることができる。
【００１１】
［適用例３］上記適用例に係る冷却装置において、前記突出部が少なくとも３つ並設された突出群を有し、前記弾性部材は、前記突出部が並設された方向における前記突出群の幅より小さな幅を有し、前記突出部に貼付されることが好ましい。
【００１２】
この構成によれば、突出群には少なとも３つの突出部が並設され、弾性部材は、突出群の幅より小さな幅を有している。これによって、冷却装置を組み立てる作業者が、突出群における外側に位置する突出部を目安に弾性部材を貼付できると共に、突出群における内側の突出部で弾性部材を確実に挟持させることができる。よって、弾性部材を容易に所定の位置に配置し、弾性部材を介して冷却ファンを確実に保持部材に保持させることができる。
また、弾性部材は、この複数の突出部に貼付されるので、冷却ファンや保持部材へ加わる応力を分散させて、冷却ファンを保持部材に保持させることが可能となる。さらに、弾性部材と突出部との接触面積が低減されるので、冷却ファンから保持部材への振動伝達を低減でき、冷却装置の静音化が可能となる。
【００１３】
［適用例４］上記適用例に係る冷却装置において、前記冷却ファンは、回転する羽根の中心軸に交差する面に沿う第１外面および第２外面と、前記第１外面と前記第２外面とに接続する第３外面とを有し、前記保持部材は、前記第１外面、前記第２外面および前記第３外面にそれぞれ対向する第１内面、第２内面および第３内面を有し、前記突出部は、前記第３外面および前記第３内面の一方に設けられ、前記弾性部材は、前記第３外面および前記第３内面の他方と前記突出部との間、前記第１外面と前記第１内面との間、および前記第２外面と前記第２内面との間にそれぞれ挟持されることが好ましい。
【００１４】
この構成によれば、冷却ファンは、中心軸方向および中心軸に交差する方向において弾性部材を介して保持部材に保持される。これによって、冷却ファンは、より安定して保持部材に保持されるので、冷却装置のさらなる静音化が可能となる。
【００１５】
［適用例５］上記適用例に係る冷却装置において、前記突出部は、前記第３外面に設けられ、前記第１外面および前記第２外面の少なくとも一方には、前記突出部の形状に倣う形状の認識マークが形成されていることが好ましい。
【００１６】
この構成によれば、冷却ファンは、第３外面に突出部が設けられ、第１外面および第２外面の少なくとも一方には認識マークが形成されている。これによって、冷却装置を組み立てる作業者は、この認識マークを目安に弾性部材を貼付できるので、中心軸方向および中心軸に交差する方向において突出部と保持部材との間に弾性部材を確実に挟持させ、冷却ファンを保持部材に保持させることができる。
【００１７】
［適用例６］上記適用例に係る冷却装置において、前記冷却ファンは、羽根の中心軸方向から取り込んだ冷却空気を回転接線方向に吐出するシロッコファンであることが好ましい。
【００１８】
この構成によれば、冷却装置は、冷却ファンとしてシロッコファンを備えているので、軸流ファンに比べ、吐出圧の高い冷却空気を送風できる。これによって、静音化を図りつつ、冷却対象に集中的な冷却空気を送風できる冷却装置の提供が可能となる。
【００１９】
［適用例７］上記適用例に係る冷却装置において、前記冷却ファンは、前記羽根が回転する領域を覆い、冷却空気が取り込まれる吸気口が形成されたケース本体部、および前記ケース本体部から突出し、冷却空気が吐出される吐出口が設けられた吐出口形成部を有し、前記吐出口形成部の外周縁に貼付される補助弾性部材をさらに備え、前記保持部材は、前記補助弾性部材が貼付された前記吐出口形成部を係止する係止部を有することが好ましい。
【００２０】
この構成によれば、冷却ファンには、吐出口形成部の外周縁に補助弾性部材が貼付され、保持部材には、上述した係止部が設けられている。これによって、冷却ファンを精度良く保持部材に配置することができる。よって、冷却ファンおよび保持部材のいずれか一方と突出部との間の所定の位置に弾性部材を確実に挟持させるとともに、冷却ファンから吐出される冷却空気を所定の方向に確実に吐出させることができる。したがって、冷却ファンを保持部材により確実に保持させると共に、冷却対象に効率良く冷却空気を送風することが可能となる。
【００２１】
［適用例８］上記適用例に係る冷却装置において、前記保持部材は、前記冷却ファンが吐出する空気を案内する案内部を有していることが好ましい。
【００２２】
この構成によれば、保持部材は、案内部を有しているので、他の部材を用いることなく、冷却ファンの冷却空気が吐出される吐出口近傍から所定の方向に冷却空気を導くことができる。
【００２３】
［適用例９］本適用例に係るプロジェクターは、光源と、前記光源から射出された光を変調する光変調装置と、前記光変調装置で変調された光を投写する投写光学装置と、上記に記載の冷却装置と、を備えることを特徴とする。
【００２４】
この構成によれば、プロジェクターは上述した冷却装置を備えるので、冷却対象を効率良く冷却しつつ、静音化が可能なプロジェクターを提供できる。
【００２５】
［適用例１０］上記適用例に係るプロジェクターにおいて、前記冷却装置は、前記光源に冷却空気を送風することが好ましい。
【００２６】
この構成によれば、冷却装置は、プロジェクター内の主な発熱源となる光源に冷却空気を送風するので、送風する冷却空気の風力を高めるように冷却ファンを駆動しても、冷却装置の騒音の抑制が可能となる。よって、プロジェクター内の効率的な冷却、および低騒音化が可能なプロジェクターを提供できる。
【図面の簡単な説明】
【００２７】
【図１】本実施形態のプロジェクターの概略構成を示す模式図。
【図２】本実施形態の冷却装置の斜視図。
【図３】本実施形態の冷却装置の分解斜視図。
【図４】本実施形態の冷却ファンを示す図。
【図５】本実施形態の冷却装置の断面図。
【発明を実施するための形態】
【００２８】
以下、本実施形態に係るプロジェクターについて、図面を参照して説明する。
本実施形態のプロジェクターは、光源から射出された光を画像情報に応じて変調し、変調した光をスクリーン等の投写面に拡大投写する。
【００２９】
〔プロジェクターの主な構成〕
図１は、本実施形態のプロジェクター１の概略構成を示す模式図である。
図１に示すように、プロジェクター１は、外装を構成する外装筐体２、制御部（図示省略）、光源装置３１を有する光学ユニット３、冷却ユニット４、および光源装置３１等に電力を供給する電源装置（図示省略）を備えている。
【００３０】
外装筐体２は、詳細な説明は省略するが、上部を形成する上ケース、下部を形成する下ケース等の複数の部材で構成され、外気を取り込む吸気口、および外装筐体２内部の温まった空気を外部に排気する排気口等が設けられている。
【００３１】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御や冷却ユニット４を駆動する制御等を行う。
【００３２】
光学ユニット３は、制御部による制御の下、光源装置３１から射出された光を光学的に処理して投写する。
光学ユニット３は、図１に示すように、光源装置３１に加え、インテグレーター照明光学系３２、色分離光学系３３、リレー光学系３４、光学装置３５、投写光学装置としての投写レンズ３６、およびこれらの光学部品を光路上の所定位置に配置する光学部品用筐体３７を備える。
【００３３】
光源装置３１は、超高圧水銀ランプやメタルハライドランプ等からなる放電型の光源３１１、リフレクター３１２、平行化レンズ３１３および光源用筐体３１４を備えている。光源装置３１は、光源３１１から射出された光をリフレクター３１２にて反射した後、平行化レンズ３１３よって射出方向を揃え、インテグレーター照明光学系３２に向けて射出する。
【００３４】
インテグレーター照明光学系３２は、第１レンズアレイ３２１、第２レンズアレイ３２２、偏光変換素子３２３、および重畳レンズ３２４を備える。
第１レンズアレイ３２１は複数の小レンズを備え、光源装置３１からの光を複数の部分光束に分割する。第２レンズアレイ３２２および重畳レンズ３２４は、第１レンズアレイ３２１からの複数の部分光束を集光し、光学装置３５の後述する光変調装置３５１に重ねあわせる。偏光変換素子３２３は、偏光分離膜と位相差板とを備え、光源装置３１から射出されたランダムな偏光方向の光を、所定の方向の偏光光に揃える。
【００３５】
色分離光学系３３は、２枚のダイクロイックミラー３３１，３３２、および反射ミラー３３３を備え、インテグレーター照明光学系３２から射出された光を赤色光（以下「Ｒ光」という）、緑色光（以下「Ｇ光」という）、青色光（以下「Ｂ光」という）の３色の色光に分離する機能を有する。
【００３６】
リレー光学系３４は、入射側レンズ３４１、リレーレンズ３４３、および反射ミラー３４２，３４４を備え、色分離光学系３３で分離されたＲ光をＲ光用の液晶パネルまで導く機能を有する。なお、光学ユニット３は、リレー光学系３４がＲ光を導く構成としているが、これに限らず、例えば、Ｂ光を導く構成としてもよい。
【００３７】
光学装置３５は、各色光用に設けられた光変調装置３５１（Ｒ光用の光変調装置を３５１Ｒ、Ｇ光用の光変調装置を３５１Ｇ、Ｂ光用の光変調装置を３５１Ｂとする）、および色合成光学装置としてのクロスダイクロイックプリズム３５２を備えている。
各光変調装置３５１は、透過型の液晶パネル、液晶パネルの光入射側に配置された入射側偏光板、および液晶パネルの光射出側に配置された射出側偏光板を備え、各色光を画像情報に応じて変調する。
【００３８】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、誘電体多層膜が光変調装置３５１Ｒ，３５１Ｂにて変調されたＲ光およびＢ光を反射し、光変調装置３５１Ｇにて変調されたＧ光を透過して、３色の変調光を合成する。
【００３９】
投写レンズ３６は、複数のレンズを備え、クロスダイクロイックプリズム３５２にて合成された光をスクリーン上に拡大投写する。
【００４０】
冷却ユニット４は、吸気ファン４１、排気ファン４２、および冷却装置５を備えている。
吸気ファン４１は、外装筐体２の吸気口（図示省略）から外部の空気を取り込む機能を有しており、外部から取り込まれた空気は、図示しないダクト部材によって、光変調装置３５１等の光学部品に送風される。
冷却装置５は、冷却ファン５１を備え、光源３１１に冷却空気を送風する。
排気ファン４２は、吸気ファン４１および冷却ファン５１によって送風され、各部材を冷却して暖まった空気を外装筐体２の排気口（図示省略）から外部に排出する。
【００４１】
〔冷却装置の構成〕
ここで、冷却装置５について詳細に説明する。
図２は、冷却装置５の斜視図であり、（ａ）は、一方の側から見た図であり、（ｂ）は他方の側から見た図である。図３は、冷却装置５の分解斜視図であり、（ａ）は、一方の側から見た図であり、（ｂ）は他方の側から見た図である。
冷却装置５は、図２、図３に示すように、冷却ファン５１に加え、保持部材６、弾性部材としてのクッション部材７、および補助弾性部材としてのクッション部材８を備えている。
【００４２】
図４は、冷却ファン５１を示す図であり、（ａ）は一方の側から見た図、（ｂ）は他方の側から見た図、（ｃ）は平面図である。
冷却ファン５１は、図４に示すように、羽根（図示省略）および羽根が収納されるファンケース５２を有し、回転する羽根の中心軸５１Ｓ方向から取り込んだ空気を回転接線方向に吐出するシロッコファンで構成されている。
【００４３】
ファンケース５２は、羽根が回転する領域を覆うケース本体部５２１、およびケース本体部５２１から突出し、空気が吐出される吐出口５２ｅが設けられた吐出口形成部５２２を有している。
ケース本体部５２１は、円柱状に形成され、中心軸５１Ｓに交差する面に沿う第１外面５２１Ａおよび第２外面５２１Ｂと、第１外面５２１Ａと第２外面５２１Ｂとに接続する曲面状の第３外面５２１Ｃとを有している。
第１外面５２１Ａおよび第２外面５２１Ｂそれぞれには、空気を取り込む吸気口５２１ｉが設けられている。すなわち、冷却ファン５１は、両側吸気型のシロッコファンである。
吐出口形成部５２２は、図３（ｂ）に示すように、平面視矩形状に形成されている。
【００４４】
第３外面５２１Ｃには、図４に示すように、２つの突出群５２１１Ｇが設けられている。各突出群５２１１Ｇは、第１外面５２１Ａ側から第２外面５２１Ｂ側に向かって延出し、略等間隔で並設された複数の突出部５２１１を有している。
２つの突出群５２１１Ｇは、図４（ｃ）に示すように、ケース本体部５２１における吐出口形成部５２２の略反対側に形成されている。具体的に、２つの突出群５２１１Ｇは、第１外面５２１Ａ側から見て、吐出口５２ｅ縁部の略中央と中心軸５１Ｓとを結ぶ仮想線ＶＬ上に位置する第１の突出群５２１１ａ、および仮想線ＶＬに対し、羽根の回転方向（図４（ｃ）におけるＣＣＷ方向）と同一側に位置する第２の突出群５２１１ｂを有している。
【００４５】
本実施形態では、第１の突出群５２１１ａ、第２の突出群５２１１ｂは、それぞれ３つの突出部５２１１で構成されている。そして、各突出部５２１１は、例えば、幅寸法が２．５〜３ｍｍ、高さ寸法（第３外面５２１Ｃからの突出寸法）が１〜１．５ｍｍの大きさを有し、各突出部５２１１の間隔が１〜１．５ｍｍで形成されている。なお、第１の突出群５２１１ａ、第２の突出群５２１１ｂを、３つ以外の数の突出部５２１１で構成してもよく、突出部５２１１の形状は上述した寸法以外で形成してもよい。
なお、本実施形態では、突出部５２１１は、冷却ファン５１に設けられているが、保持部材６に設けてもよい。すなわち、突出部５２１１は、冷却ファン５１および保持部材６の少なくともいずれか一方に、一方から他方に向かって突出するように形成されている。
【００４６】
また、第２外面５２１Ｂには、図４（ｂ）に示すように、第１の突出群５２１１ａ、第２の突出群５２１１ｂにそれぞれ対応する認識マークＭａが設けられている。
認識マークＭａは、冷却装置５を組み立てる作業者が冷却ファン５１にクッション部材７を貼付する際の目安となるマークであり、周囲の面に対し凹部あるいは凸部となるように形成されている。認識マークＭａは、図４（ｂ）に示すように、第２外面５２１Ｂの縁部から離間する直線部、およびこの直線部に繋がり、各突出群（第１の突出群５２１１ａ、第２の突出群５２１１ｂ）において、外側に位置する２つの突出部５２１１に倣う直線部を有している。
【００４７】
保持部材６は、合成樹脂製で、冷却ファン５１を保持する機能、および冷却ファン５１から吐出される冷却空気を光源用筐体３１４に導く機能を有している。
保持部材６は、図３に示すように、第１ケース６１および第２ケース６２を備え、冷却ファン５１を内部に収納するように構成されている。
第１ケース６１は、一方の側に開口部を有して箱状に形成され、冷却ファン５１の第１外面５２１Ａに対向する第１内面を有する底面部６１１、および底面部６１１から起立する起立部６１２を有している。
【００４８】
底面部６１１には、冷却ファン５１の吸気口５２１ｉに対応する位置に開口部６１１ａが形成されている。起立部６１２には、図３（ｂ）に示すように、冷却ファン５１の吐出口形成部５２２が配置される切欠き部６１２ａ、およびネジ穴６１２ｂを有する複数の突起部６１２ｃが設けられている。後で詳細に説明するが、吐出口形成部５２２の外周縁にはクッション部材８が貼付される。切欠き部６１２ａは、クッション部材８が貼付された吐出口形成部５２２が配置される部位であり、中心軸５１Ｓを中心とする回転方向において、冷却ファン５１を係止する機能を有し、係止部に相当する。
【００４９】
第２ケース６２は、第１ケース６１と嵌合するように形成され、冷却ファン５１の第２外面５２１Ｂに対向する第２内面を有する底面部６２１、および起立部６１２に沿う起立部６２２を有している。
底面部６２１には、冷却ファン５１の吸気口５２１ｉに対応する位置に開口部６２１ａが形成されている。起立部６２２には、図３（ａ）に示すように、冷却ファン５１の吐出口形成部５２２が配置される切欠き部６２２ａ、およびネジが挿通される複数の挿通孔６２２ｂが設けられている。複数の挿通孔６２２ｂは、突起部６１２ｃの複数のネジ穴６１２ｂに対応する位置に形成されている。
【００５０】
また、第２ケース６２には、切欠き部６２２ａ近傍の底面部６２１および起立部６２２に接続する案内部６２２ｃが設けられている。なお、起立部６１２，６２２における内面は、冷却ファン５１における第３外面５２１Ｃに対向する第３内面に相当する。
案内部６２２ｃは、図２（ａ）に示すように、第１ケース６１と第２ケース６２とが組み合わされた際に、中心軸５１Ｓに沿う方向において、第１ケース６１側に開口部６２２ｄを有するように形成されている。すなわち、冷却ファン５１から吐出された冷却空気は、案内部６２２ｃによって案内され、中心軸５１Ｓの回転接線方向から中心軸５１Ｓに沿う方向に向きが変更される。
【００５１】
クッション部材７，８は、例えば、シリコンやウレタン製の発泡材やゴム材等でシート状に形成され、片側の面には粘着材が設けられている。本実施形態のクッション部材７，８は、ＪＩＳ−Ｋ６４０１に準拠して測定される圧縮残留歪が５％程度の特性を有している。また、クッション部材７，８は、１ｍｍ程度の厚みを有し、平面視長方形の長尺状に形成されている。
クッション部材７は、図３に示すように、第１の突出群５２１１ａ、および第２の突出群５２１１ｂに貼付され、クッション部材８は、吐出口形成部５２２の外周縁に貼付される。なお、第１の突出群５２１１ａに貼付されるクッション部材７を７１、第２の突出群５２１１ｂに貼付されるクッション部材７を７２とする。
【００５２】
クッション部材７１は、第１の突出群５２１１ａの幅（３つの突出部５２１１が並設する方向の幅）より小さな幅を有し、突出部５２１１の長さより長く形成されている。
クッション部材７１の幅が第１の突出群５２１１ａの幅より小さな幅を有し、第２外面５２１Ｂに認識マークＭａが設けられていることにより、冷却装置５を組み立てる作業者は、第１の突出群５２１１ａの３つの突出部５２１１のうち外側に位置する突出部５２１１、および認識マークＭａを目安に、突出部５２１１、第１外面５２１Ａの一部、および第２外面５２１Ｂの一部にクッション部材７１を貼付することができる。
【００５３】
クッション部材７２は、クッション部材７１と同様に形成され、クッション部材７１と同様に、第２の突出群５２１１ｂ、第１外面５２１Ａの一部および第２外面５２１Ｂの一部に貼付される。
【００５４】
冷却ファン５１は、クッション部材７，８が貼付された状態で第１ケース６１に組み込まれ、第２ケース６２が第１ケース６１にネジ固定されることで、保持部材６に保持される。
具体的に、冷却装置の組み立て方法について図５を用いて説明する。
図５は、冷却装置５の断面図である。
図５に示すように、クッション部材７，８が貼付された冷却ファン５１は、吐出口形成部５２２がクッション部材８を介して切欠き部６１２ａに係止され、クッション部材７が冷却ファン５１と第１ケース６１とに挟持されることによるクッション部材７の反力により、第１ケース６１に位置決めされて配置される。
【００５５】
より具体的に、クッション部材７１，７２は、一部が、突出部５２１１と起立部６１２の内面（第３内面）との間に挟持される。図示は省略するが、クッション部材７１，７２のうち、第１外面５２１Ａに貼付された部位は、第１外面５２１Ａと第１ケース６１における第１内面との間に挟持される。そして、クッション部材７１，７２のうち、第２外面５２１Ｂに貼付された部位は、第２外面５２１Ｂと第２ケース６２における第２内面との間に挟持される。
【００５６】
そして、冷却ファン５１が第１ケース６１に位置決めされた状態で、第２ケース６２は、切欠き部６２２ａがクッション部材８を介して吐出口形成部５２２に係合され、挿通孔６２２ｂに挿通されたネジがネジ穴６１２ｂに挿入されて第１ケース６１に固定される。
このように、冷却ファン５１は、クッション部材７，８が冷却ファン５１と保持部材６とに挟持されることによって、３か所で支持されることとなり、保持部材６に対して位置決めされて保持される。また、冷却ファン５１は、中心軸５１Ｓ方向および中心軸５１Ｓに交差する方向においてクッション部材７，８を介して保持部材６に保持される。つまり、冷却ファン５１は、保持部材６に直接接触することなく、保持部材６に位置決めされて保持される。
そして、一体化された冷却装置５は、外装筐体２における下ケース（図示省略）にネジ固定される。そして、冷却装置５は、制御部の指示に基づいて冷却ファン５１が駆動され、案内部６２２ｃから冷却空気を送風する。冷却装置５から送風された冷却空気は、光源用筐体３１４に設けられた開口部（図示省略）から導入され、光源３１１を冷却する。
【００５７】
以上説明したように、本実施形態によれば、以下の効果を得ることができる。
（１）冷却ファン５１には、突出部５２１１が設けられ、クッション部材７の一部がこの突出部５２１１と保持部材６との間に挟持される。そして、冷却ファン５１は、クッション部材７，８を介して保持部材６に保持される。これによって、冷却ファン５１と保持部材６とが直接に接触することなく、また、安定した力で冷却ファン５１の保持が可能となる。よって、冷却ファン５１の駆動による保持部材６の振動等を抑制し、静音化が可能な冷却装置５を提供できる。
また、冷却装置５は、プロジェクター１内の主な発熱源となる光源装置３１に冷却空気を送風するので、送風する冷却空気の風力を高めるように冷却ファン５１を駆動しても、冷却装置５の騒音の抑制が可能となる。よって、プロジェクター１内の効率的な冷却、および低騒音化が可能なプロジェクターを提供できる。
【００５８】
（２）各突出群５２１１Ｇには、３つの突出部５２１１が並設され、クッション部材７は、突出群５２１１Ｇの幅より小さな幅を有している。これによって、冷却装置５を組み立てる作業者が、突出群５２１１Ｇにおける外側に位置する突出部５２１１を目安にクッション部材７を貼付できると共に、突出群５２１１Ｇにおける内側の突出部５２１１でクッション部材７を確実に挟持させることができる。よって、クッション部材７を容易に所定の位置に配置し、クッション部材７を介して冷却ファン５１を確実に保持部材６に保持させることができる。
また、クッション部材７は、この複数の突出部５２１１に貼付されるので、冷却ファン５１や保持部材６へ加わる応力を分散させて、冷却ファン５１を保持部材６に保持させることが可能となる。さらに、クッション部材７と各突出群５２１１Ｇとの接触面積が低減されるので、冷却ファン５１から保持部材６への振動伝達を低減でき、静音化が可能な冷却装置５を提供できる。
【００５９】
（３）冷却ファン５１は、中心軸５１Ｓ方向および中心軸５１Ｓに交差する方向においてクッション部材７，８を介して保持部材６に保持される。これによって、冷却ファン５１は、より安定して保持部材６に保持されるので、冷却装置５のさらなる静音化が可能となる。
【００６０】
（４）冷却ファン５１の第２外面５２１Ｂには、突出部５２１１の形状に倣う形状の認識マークＭａが形成されている。これによって、冷却装置５を組み立てる作業者は、この認識マークＭａを目安にクッション部材７を貼付できるので、第１外面５２１Ａおよび第２外面５２１Ｂ、および突出部５２１１に確実にクッション部材を配置することができる。
【００６１】
（５）冷却装置５は、軸流ファンに比べて冷却空気の吐出圧が高いシロッコファンを冷却ファン５１として備えている。これによって、静音化を図りつつ、冷却対象となる光源装置３１に冷却空気を集中的に送風し、光源装置３１を効率良く冷却することが可能となる。
【００６２】
（６）冷却ファン５１には、吐出口形成部５２２の外周縁にクッション部材８が貼付され、第１ケース６１には、係止部としての切欠き部６１２ａが設けられている。これによって、冷却ファン５１を精度良く保持部材６に配置することができる。よって、冷却ファン５１に形成された突出部と、保持部材６の起立部６１２，６２２における内面（第３内面）の所定の位置との間にクッション部材７を確実に挟持させると共に、冷却ファン５１から吐出される冷却空気を所定の方向に確実に吐出させることができる。したがって、冷却ファン５１を保持部材６により確実に保持させると共に、光源装置３１に効率良く冷却空気を送風することが可能となる。
【００６３】
（７）保持部材６は、案内部６２２ｃを有しているので、他の部材を用いることなく、冷却ファン５１の冷却空気が吐出される吐出口５２ｅ近傍から光源用筐体３１４に冷却空気を導くことができる。
【００６４】
（変形例）
なお、前記実施形態は、以下のように変更してもよい。
前記実施形態では、各突出群５２１１Ｇは、３つの突出部５２１１が並設されて構成されているが、３つ以外の数で構成してもよい。
また、前記実施形態の各突出部５２１１は、第１外面５２１Ａ側から第２外面５２１Ｂ側に向かって繋がって形成されているが、断続的に突出するように形成してもよい。
【００６５】
認識マークＭａは、第２外面５２１Ｂに形成されているが、第１外面５２１Ａに形成してもよく、第１外面５２１Ａおよび第２外面５２１Ｂの双方に形成してもよい。
【００６６】
前記実施形態の冷却ファン５１は、両側吸気型のシロッコファンであるが、これに限らず、片側吸気型のシロッコファンでもよく、また、軸流ファンであってもよい。
【００６７】
前記実施形態のプロジェクター１は、光変調装置として透過型の液晶パネルを用いているが、反射型の液晶パネルを利用したものであってもよい。また、光変調装置としてマイクロミラー型の光変調装置、例えば、ＤＭＤ（Digital Micromirror Device）等を利用したものであってもよい。
【００６８】
前記実施形態の光変調装置は、Ｒ光、Ｇ光、およびＢ光に対応する３つの光変調装置を用いるいわゆる３板方式を採用しているが、これに限らず、単板方式を採用してもよく、あるいは、２つまたは４つ以上の光変調装置を備えるプロジェクターにも適用できる。
【００６９】
光源装置３１は、放電型の光源３１１を用いたものに限らず、その他の方式の光源や発光ダイオード、レーザー等の固体光源で構成してもよい。
【符号の説明】
【００７０】
１…プロジェクター、２…外装筐体、３…光学ユニット、５…冷却装置、６…保持部材、７，７１，７２…クッション部材（弾性部材）、８…クッション部材（補助弾性部材）、３１…光源装置、３６…投写レンズ（投写光学装置）、５１…冷却ファン（シロッコファン）、５１Ｓ…中心軸、５２…ファンケース、５２ｅ…吐出口、５２１ｉ…吸気口、３１１…光源、３５１，３５１Ｂ，３５１Ｇ，３５１Ｒ…光変調装置、５２１…ケース本体部、５２１Ａ…第１外面、５２１Ｂ…第２外面、５２１Ｃ…第３外面、５２２…吐出口形成部、６１１，６２１…底面部、６１２，６２２…起立部、６１２ａ，６２２ａ…切欠き部（係止部）、６２２ｃ…案内部、５２１１…突出部、５２１１Ｇ…突出群、５２１１ａ…第１の突出群、５２１１ｂ…第２の突出群、Ｍａ…認識マーク。
【図１】
2015119021.tif 000003
【図２】
2015119021.tif 000004
【図３】
2015119021.tif 000005
【図４】
2015119021.tif 000006
【図５】
2015119021.tif 000007